(57)【要約】　　　（修正有）【課題】折曲可能な導光体の端部からの光源光でもっても全体を明るく，而も視線を引き易いように点滅できるようにする他，使用時間を長くできるようにする。【解決手段】蓄光塗料を混入したグラスファイバー等の折曲可能な導光体１の両端間に該導光体１の端部から照射するための光輝度発光素子２，該光輝度発光素子２を点滅させるための点滅回路３，電源電池４及び電源スイッチ５を有する電源部６を設け，全体としてリング状に構成したアクセサリー。【選択図】　　　　図３
0003098974.tif 000002
【実用新案登録請求の範囲】
【請求項１】
蓄光塗料を混入したグラスファイバー等の折曲可能な導光体（１）の両端間に該導光体（１）の端部から照射するための光輝度発光素子（２），該光輝度発光素子（２）を点滅させるための点滅回路（３），電源電池（４）及び電源スイッチ（５）を有する電源部（６）を設け，全体としてリング状に構成したことを特徴とするアクセサリー。
【考案の詳細な説明】
【０００１】
【考案の利用分野】
この考案は，夜間用の装身具を兼ねたネックレスやブレスレッドなどの人間用のアクセサリーとしては勿論のこと，犬，猫などのペットの夜間時における散歩などにおいて該ペットが迷子や車などによる事故になるのを防止するなどのためにも役立てることのできるアクセサリーに関する。
【０００２】
【従来技術】
グラスファイバーやライトガイドの用途は多く，インテリアとしても種々の形で利用されている。ここに透明チューブの中に蓄光時間の短い蓄光塗料を混入したものが夜店等で売られており，子供達などが腕に巻いてその蓄光の楽しさにうっとりしている姿が，しばしば夏の祭りの夜に見られることがある。
ただ残念なことに，この種のものは翌日になると，蓄光効果が無くなり短時間の子供などの楽しみだけのものに過ぎないものとなっており，その用途は，その場限りのアクセサリーに過ぎない。
【０００３】
またそのようなものは，ただ単に薄暗い蓄光色のものであり，極端に人の目を注視させる効果に欠けている。
【０００４】
一方，インテリアなどでは，グラスファイバーを束ね，一方の端部は放散させ，他方の束ねた端部側から各種の光源色を与え，上記一方の端部に各種の光源色を露光させるようにしたものもある。
この種のものは，発光ダイオードなどの発光ランプ等の光源を用いているので，発光ランプ等の光源を点滅させれば，グラスファイバーの一方の端部の色は変化するし，しかも点滅効果により，インテリアとしての効果が非常に高い。
【０００５】
このようなものは，多数のグラスファイバーを用いて始めてそのインテリア効果が高いものであって，その数が１本程度，あるいは少ないものであってはその効果が低い。
【０００６】
すなわち，以上のものは，夜間用の装身具を兼ねたネックレスやブレスレッドなどの人間用のアクセサリとしては勿論のこと，犬，猫などのペットの夜間時における散歩などにおいて該ペットが迷子になることや車による事故になることを防止するなどのためにも役立てることのできるアクセサリーを考えるととても利用できるものではない。
その理由は，使用時間が短かったり，グラスファイバーの先端部のみしか発光させることが出来ないためである。特に，従来のグラスファイバーの場合，他方の端部から光源光を与えると，一方の端部のみしか光らず，アクセサリー用としての効果は小さなものになっていた。
【０００７】
【考案の課題】
この考案はわずか１本程度の数の少ないグラスファイバー等の折曲可能な導光体を用いた場合で，その端部からの光源光の光でもっても全体を明るく，而も視線を引き易いように点滅でき，尚且つコンパクト且つ安価に構成できるようにして，夜間用の装身具を兼ねたネックレスやブレスレッドなどの人間用のアクセサリとしては勿論のこと，犬，猫などのペットの夜間時における散歩などにおいて該ペットが迷子になるのを防止することや事故になるのを妨げるなどのためにも役立てることのできるアクセサリーを得ることにある。
【０００８】
かかるこの考案の課題は，蓄光塗料を混入したグラスファイバー，ライトガイド等の折曲可能な導光体１の両端間に該導光体１の端部から照射するための光輝度発光素子２，該光輝度発光素子２を点滅させるための点滅回路３，電源電池４及び電源スイッチ５を有する電源部６を設け，全体としてリング状に構成したアクセサリーを提供することによって達成できる。
【０００９】
【作用】作用については，他の実施例とほとんど共通するので，図１の第１実施例のアクセサリー７−１の場合を中心に説明する。
図１を参照して，電源部６（６−１）を構成する電源ケース８−１に形成した電源スイッチ５−１をＯＮ（閉成）すると，電源ケース８−１内に内蔵された電源電池４（この電源電池４としては，この実施例がブレスレッド（腕輪）を目的としているために，小型軽量化のために小型のリチウム電池を用いたものとなっている）の電源を基にＩＣ化された点滅回路３が作動し，光輝度発光素子２が点滅する。
光源光として用いた光輝度発光素子２が点滅すると，導光体１として用いた蓄光塗料を混入したグラスファイバーの一端部９からその光源光が当該導光体１の中を通り，当該導光体１全体を点滅させる。光輝度発光素子２の点滅を停止させるには，上記電源スイッチ５−１をＯＦＦ（開成）させればよい。
【００１０】
【考案の実施例】
図１は，この考案の第１実施例としてのアクセサリー７として描いたアクセサリー７−１の説明図で，蓄光塗料を混入したグラスファイバー，ライトガイド等の折曲可能な導光体１の両端を電源部６−１を形成する電源ケース８−１に固着し，全体として一体型のリング状に丸めてアクセサリー７−１を構成する。
【００１１】
この実施例のアクセサリー７−１の場合は，直径２０〜２５ｃｍ位のブレスレッド（腕輪）を想定して製作した（但し，これに限定されるものでなく，猫などのペット様にも用いることが出来ることは言うまでもない）ものなので，電源電池４としては小型軽量化のために小型のリチウム電池を用いたものとなっているため，これを内蔵できる程度の筒状のプラスチックで出来た電源ケース８−１を用いている。電源ケース８−１としては，種々のものを考えることができるが，ここでは，説明の都合上，その詳細は省き，その説明は，図２の他の実施例に委ねる。
【００１２】
電源ケース８−１内には，図示せずプリント配線パターンが施されたプリント基板（図１においては図示せず）が固設され，このプリント基板に上記導光体１の一端部９から照射するための光輝度発光素子２，該光輝度発光素子２を点滅させるための点滅回路３，電源電池４及び電源スイッチ５（５−１）を半田付けなどの手段によって配設している。
電源スイッチ５−１の場合には，電源ケース８−１の外部から押圧した場合に当該電源スイッチ５−１がＯＮ，ＯＦＦ出来るように構成する（この具体的な方法，そして電源電池４を電源ケース８−１内に挿入する方法などは図２で示す他の実施例と同じように構成すれば，簡単に構成できるので，ここではその詳細は省略する）。
光輝度発光素子２は，導光体１の一端部９からその光源光を当該導光体１の中を通らせ，当該導光体１全体を点滅させるためにそれに適した図示せずプリント基板上に半田付けなどの手段によって配設されている。
尚，光輝度発光素子２を断続的に点滅させるようにした理由は，人の視線による注目を喚起させるためと，電源電池４の寿命を長くし有効的に使用させるためである。
【００１３】
図２は，この考案の第２実施例のアクセサリー７−２を示すもので，図１の実施例のＸ−Ｙ線縦断面を描いた別の実施例図となっている。
【００１４】
この実施例に用いるアクセサリー７−２の場合は，導光体１として以下に示すような導光体１−１を用いている。折曲容易な透明な樹脂やシリコンゴム等のゴム樹脂などで出来たチューブ１０の中に蓄光塗料を混入したグラスファイバー１１を挿入して導光体１−１を形成している。
グラスファイバー１１は，その両端部をチューブ１０の両端部間よりも短く形成して当該チューブ１０の両端部に光輝度発光素子２内蔵スペースを形成し，そのスペースに光輝度発光素子２を挿入している。
光輝度発光素子２はその両電源端子１２を電源部６−２を構成する樹脂で出来た電源ケース８−２内に挿入されたプリント配線基板１３に図示せず半田によって半田付け固定されている。
プリント配線基板１３には，２つの電源電池４が適宜な手段で固定された図示せず電源電池ホルダーによって装着されると共に光輝度発光素子２を点滅させるためのＩＣ化された点滅回路３が半田付けされている。
【００１５】
符号５−２は，押圧することで，電源をＯＮ，ＯＦＦするように切り換えられる電源スイッチで，半田付けなどの手段でプリント配線基板１３に装着されている。
この電源スイッチ５−２と対向する電源ケース８−２部分には，切り溝１４が形成され，符号１５で示す押圧部を外部から押すとその部分がへこみ，へこんだ部分が上記電源スイッチ５−２に当接して，当該電源スイッチ５−２をＯＮ，ＯＦＦする。
ただし，この機構に限定されるものでなく，他の方法であっても良い。
例えば，電源ケース８−２の外面部に透孔を形成しておき，その透孔に電源スイッチの押圧ポタン部を突出させておき，その突出した押圧ボタン部を押圧することで電源スイッチ５−２をＯＮ，ＯＦＦするようにしておいてもよい。
【００１６】
この実施例では，透明な樹脂で筒状に形成された電源ケース８−２の一例としての構造の説明を行う蘭になっているので，その説明を行うと，この電源ケース８−２はグラスファイバー１１の軸方向に沿って２分割できるように縦断面半円状に構成された電源ケース構成体８Ａと８Ｂとからなっている。
図２で説明すると上側の電源ケース構成体８Ａの内面には筒状の凹部を有する突起１６が形成されている。
一方，下側の電源ケース構成体８Ｂの内面には上記突起１６に形成された凹部と対向する部分に該凹部１６の内周と略々一致する外径を持つ柱状の突起１７を形成したものを用いている。
従って，２つの電源ケース構成体８Ａと８Ｂを合わせると，突起１６の凹部と突起１７の柱状部が互いにはまり合うので２つの電源ケース構成体８Ａと８Ｂとによって電源ケース８−２を簡単に構成できる。
【００１７】
図３を参照して，この考案の第３実施例のアクセサリー７−３について説明すると，この第３実施例では直径３５〜４０ｃｍ位のネックレスを想定したものとなっている。
このため，この実施例におけるアクセサリー７−３の場合も第１実施例で説明したアクセサリー７−１の場合と殆ど同じ構成をしているが，電源部６−２を構成する電源ケース８−３そのものの外観形状並びに装飾がそれに適するように，ルビー，サファイア，サンゴ，ヒスイ，ラピスラズリなどの宝石調に形成されたものとなっている。
電源ケース８−３の内部には，上記と同様な光輝度発光素子２，点滅回路３及び電源電池４が図示せずプリント配線基板１３に適宜な手段によって固着され，内蔵されている。
【００１８】
導光体１の両端部は，上記光輝度発光素子２と対向する電源ケース８−３の側面部に形成した図示せず透孔に挿入されているが，その一端部は電源ケース８−３に固定されており，他端部は電源ケース８−３に形成された図示せず雄フック部と係合する同じく図示せず雌フック部が形成されているので，これらの雄フック部と雌フック部とを互いに係合するすることで導光体１の他端部を電源ケース８−３の端部に固着するようにしている。
すなわち，この実施例におけるアクセサリー７−３の場合は導光体１の他端部に形成した雌フック部を電源ケース８−３に形成した雄フック部からの係合を解除することで，当該アクセサリー７−３のループ状態を開放できるので，人の首への脱着が容易に行える。
尚，こうした係合方法は，広く種々の方法が公知になっている。またこのような手段は，この考案の本質ではないので，この明細書ではそれらの種類や詳細な構造についての説明を省略する。
また雄フック部と雌フック部の形成位置は当然逆の配置であってもよいことはいうまでもない。
【００１９】
図４を参照して，この考案の第４実施例としてのアクセサリー７−４について説明する。
このアクセサリー７−４の場合は，動物の首輪用として直径３０〜４５ｃｍ位のものを想定した構造となっている。
従って，それに適する長さの導光体１を用いたものとなっている。またこれに用いる電源部６−２を構成する電源ケース８−４も横幅の長いものを用いている。
この理由としては，この中に内蔵する電源電池としては，今までのようなリチウム電池のような小型のものを用いるのではなく，長さのある安価な単４電池を用いて，これを横寝させて配置できるようにするためである。
このような単４電池の取り付け方法は，一般公知の電池ホルダーなどを用いれば容易なため，その詳細は省略する。
【００２０】
この考案の第４実施例としてのアクセサリー７−４の場合には，２つの方法がある。
まず最初の方法を説明すると，電源ケース８−４の図における上面の一端部に不織布２０の一端部（図において左側の位置）を適宜な手段で固着する。
該不織布２０の下面（図において）に雄フック部を有する綿ファスナー（商品名としては，マジックテープが公知になっている）１８を適宜な手段で固着する。
該綿ファスナー１８と対向する電源ケース８−４の図における上面部に綿ファスナー１８の雄フック部と係合する雌フック部を有する綿ファスナー１９を固着する。
【００２１】
このように構成すると，綿ファスナー１８の雄フック部と綿ファスナー１９の雌フック部を離脱させ，例えば，動物などの首輪等のベルト等にこれらの部分を挿入した後，綿ファスナー１８の雄フック部と綿ファスナー１９の雌フック部を係着することで，当該アクセサリー７−４を上記ベルト等に吊るすことが出き，愛玩動物の夜間時における迷子防止用として役立てることができる。
【００２２】
次にこの考案の第４実施例としてのアクセサリー７−４の別の構成方法の場合を説明すると，導光体１の一端部（図において左側の位置）は，電源ケース８−４の挿入量の長さが自在且つ着脱自在に構成し，しかも導光体１の一端部（図において左側の位置）には適宜な手段で不織布２０の一端部を固着する。
該不織布２０の図における下面に雄フック部を有する綿ファスナー１８を適宜な手段で固着する。
該綿ファスナー１８と対向する電源ケース８−４の図における上面部に綿ファスナー１８の雄フック部と係合する雌フック部を有する綿ファスナー１９を固着する。
【００２３】
このように構成すると，綿ファスナー１８の雄フック部と綿ファスナー１９の雌フック部を離脱させ，導光体１の一端部を電源ケース８−４から引き抜くと導光体１の一端部と電源ケース８−４間に開放部が形成できる。
従って，この開放部を介して導光体１のループ部内に，例えば，動物などの首等を挿入した後，導光体１の一端部を電源ケース８−４に係合させた後，綿ファスナー１８の雄フック部と綿ファスナー１９の雌フック部を係着することで，当該アクセサリー７−４を愛玩動物の首に装着することが出き，愛玩動物の夜間時における迷子防止用として役立てることができる。
【００２４】
図５は，この考案の第５実施例としてのアクセサリー７−５の別の構造を示すもので，種々の口径のものにも当該アクセサリー７−５を容易に装着できるようにした一例としての説明図である。
尚，この図５においては，他の説明と共通する部分においては他を参照するとしてそれらについての図は省略している。
【００２５】
このアクセサリー７−５の場合では，電源部６−３を構成する電源ケース８−５の一端部（この場合，図では右端部側とする）に図示せず導光体１の一端部を挿入しておき，電源ケース８−５の内部に挿入した上記した導光体１の一端部から光輝度発光素子２の光源光を照射できるようにしている。
このため電源ケース８−５内に光輝度発光素子２，電源スイッチ，電源電池及びこれらを取り付けるためのプリント配線基板などを上記同様に内蔵している。
【００２６】
導光体１の他端部（図においては左側とする）には，透明な樹脂で形成した円柱状の連結子２１が固定され，該連結子２１の一端部にフレキシブルベルト等の適宜な長さのフレキシブル連結体２２が固定され，このフレキシブル連結体２２の一端部を電源ケース８−５の他端部に適宜な手段によって固定している。
このフレキシブル連結体２２として適宜な長さのものを選択することにより導光体１のループ口径を大きくできるので，大きな愛玩動物などの首等に容易に挿入でき，愛玩動物の夜間時における迷子防止用や車や自転車等による事故防止用として役立てることができる。
【００２７】
このようなフレキシブル連結体２２を単純に用いると，口径の小さな首を持つ愛玩動物などの場合は，フレキシブル連結体２２が弛むことになってしまう。
そこで，この実施例では，電源ケース８−５の他端部（図において左側の位置）の外周部に雌フック部を有する綿ファスナー２３を巻装している。また連結子２１の一端部（図において右側の位置）の外周部に適宜な手段で不織布２５を巻装固着する。
該不織布２５の図における下面に雄フック部を有する綿ファスナー２４を適宜な手段で固着する。該綿ファスナー２４の雄フック部をこれと対向する上記綿ファスナー２３の雌フック部に係合させることで，上記フレキシブル連結体２２の弛み部分を連結子２１と電源ケース８−５間の空間部に上記綿ファスナー２４を有する不織布２５によって合理的に収納できるのみならず，当該アクセサリー７−５のループ口径を適宜な大きさのものに形成できる。
【００２８】
【効果】
この考案のアクセサリーによればグラスファイバー等の折曲可能な導光体の端部からの光源光の照射光でもって当該導光体全体を明るくでき，而も視線を引き易いように点滅でき，尚且つコンパクト且つ安価に構成できるので，夜間用の装身具を兼ねたネックレスやブレスレッドなどの人間用のアクセサリとしては勿論のこと，犬，猫などのペットの夜間時における散歩などにおいて該ペットが迷子になるのを防止するなどのためにも役立てることのできる他車や自転車などによる事故防止の為にも効果がある。しかも，電池使用のため，その持続時間も長く実用上の効果甚大なものである。
【図面の簡単な説明】
【図１】この考案の第１実施例としてのアクセサリーの平面図である。
【図２】この考案の第２実施例としてのアクセサリーの説明図である。
【図３】この考案の第３実施例としてのアクセサリーの平面図である。
【図４】この考案の第４実施例としてのアクセサリーの平面図である。
【図５】この考案の第５実施例としてのアクセサリーの説明図である。
【符号の説明】
１，１−１　導光体
２　光輝度発光素子
３　点滅回路
４　電源電池
５，５−１，５−２　電源スイッチ
６，６−１，６−２，６−３　電源部
７−１，７−２，７−３，７−４，７−５　アクセサリー
８−１，８−２，８−３　電源ケース
９　一端部
１０　チューブ
１１　グラスファイバー
１２　電源端子
１３　プリント配線基板
１４　切り溝
１５　押圧部
１６　凹部
１７　凸部
１８，１９　綿ファスナー
２０　不織布
２１　連結子
２２　フレキシブル連結体
２３，２４　綿ファスナー
２５　不織布
【図１】
0003098974.tif 000003
【図２】
0003098974.tif 000004
【図３】
0003098974.tif 000005
【図４】
0003098974.tif 000006
【図５】
0003098974.tif 000007